(57)【要約】【課題】起動してからテレビジョン信号の受信を開始するまでの時間を短縮することによって、表示部に映像を表示するまでの時間を短縮することが可能な表示装置を提供する。【解決手段】テレビジョン信号を受信するための情報を含み、起動時に表示部２に表示させる現在チャンネルチューニング用データを記憶する記憶領域６ａと、起動時に表示させない他チャンネルチューニング用データを記憶する記憶領域６ｂとを有するフラッシュメモリ６と、フラッシュメモリ６から現在チャンネルチューニング用データおよび他チャンネルチューニング用データを読み出す制御部５とを備えている。また、制御部５は、起動時に、フラッシュメモリ６から現在チャンネルチューニング用データを読み出した後、他チャンネルチューニング用データを読み出すように構成されている。【選択図】図１
2008227634.tif 000002
【特許請求の範囲】
【請求項１】
テレビジョン信号に基づく映像を表示する表示部と、前記テレビジョン信号を受信するための情報を含むチャンネルデータを記憶する記憶部とを備えた表示装置において、
前記記憶部は、起動時に前記表示部に表示させる所定のチャンネルに対応するとともに、前記テレビジョン信号を受信するための情報を含む第１チャンネルデータを記憶する第１記憶部と、起動時に前記表示部に表示させないチャンネルに対応するとともに、前記テレビジョン信号を受信するための情報を含む第２チャンネルデータを記憶する第２記憶部と、前記第１チャンネルデータおよび前記第２チャンネルデータを一時的に記憶する第３記憶部とを含み、
前記第１記憶部および前記第２記憶部からそれぞれ前記第１チャンネルデータおよび前記第２チャンネルデータを読み出すとともに、装置本体全体を制御する制御部と、
起動時に、前記第３記憶部に一時的に記憶される前記第１チャンネルデータに基づいてチューニングを行うチューナ部とをさらに備え、
前記制御部は、起動時に、前記第１記憶部から前記第１チャンネルデータを読み出した後、前記第２記憶部から前記第２チャンネルデータを読み出すとともに、前記チューナ部が前記第１チャンネルデータに基づいて前記チューニングを行った後、前記第２記憶部から前記第２チャンネルデータを読み出すように構成され、
前記第１記憶部および前記第２記憶部は、１つのメモリにより構成され、
前記第１チャンネルデータは、前記表示部が最後に表示したチャンネルのチャンネルデータである、表示装置。
【請求項２】
テレビジョン信号に基づく映像を表示する表示部と、
起動時に前記表示部に表示させる所定のチャンネルに対応するとともに、前記テレビジョン信号を受信するための情報を含む第１チャンネルデータを記憶する第１記憶部と、
起動時に前記表示部に表示させないチャンネルに対応するとともに、前記テレビジョン信号を受信するための情報を含む第２チャンネルデータを記憶する第２記憶部と、
前記第１記憶部および前記第２記憶部からそれぞれ前記第１チャンネルデータおよび前記第２チャンネルデータを読み出すとともに、装置本体全体を制御する制御部とを備え、
前記制御部は、起動時に、前記第１記憶部から前記第１チャンネルデータを読み出した後、前記第２記憶部から前記第２チャンネルデータを読み出すように構成されている、表示装置。
【請求項３】
前記第１チャンネルデータは、前記表示部が最後に表示したチャンネルのチャンネルデータである、請求項２に記載の表示装置。
【請求項４】
前記制御部によって前記第１記憶部および前記第２記憶部から読み出されるそれぞれ前記第１チャンネルデータおよび前記第２チャンネルデータを一時的に記憶する第３記憶部と、
起動時に、前記第３記憶部に一時的に記憶される前記第１チャンネルデータに基づいてチューニングを行うチューナ部とをさらに備え、
前記制御部は、起動時に、前記チューナ部が前記第１チャンネルデータに基づいて前記チューニングを行った後、前記第２記憶部から前記第２チャンネルデータを読み出すように構成されている、請求項２または３に記載の表示装置。
【請求項５】
前記第１記憶部および前記第２記憶部は、１つのメモリにより構成されている、請求項２〜４のいずれか１項に記載の表示装置。
【発明の詳細な説明】
【技術分野】
【０００１】
この発明は、表示装置に関し、特に、テレビジョン信号を受信するための情報を含むチャンネルデータを記憶する記憶部を備えた表示装置に関する。
【背景技術】
【０００２】
従来、テレビジョン信号を受信するための情報を含むチャンネルデータを記憶する記憶部を備えた表示装置が知られている（たとえば、特許文献１参照）。
【０００３】
上記特許文献１には、映像データおよび音声データとともに、所定の番組（サブチャンネル）を認識するための認識番号や所定の映像データおよび音声データを受信するために必要となるそれぞれの認識番号など、複数の番組情報が多重されたデジタル放送信号を受信する受信方式に対応した表示装置が開示されている。この特許文献１による表示装置では、所定の番組を受信するために必要な複数の番組情報を記憶する番組テーブルメモリ（記憶部）を備えている。そして、番組テーブルメモリが、所定の番組の認識番号や映像データおよび音声データの認識番号など、複数の番組情報を記憶することができるので、起動時に、所定の番組の認識番号や映像データおよび音声データの認識番号などを受信する必要がない。
【０００４】
ここで、従来の一般的な表示装置では、テレビジョン信号の受信時には、チャンネルデータおよび設定値情報などを、起動時に所定の記憶部から全て同時に読み出し、読み出したチャンネルデータに含まれる周波数の情報に基づいてデジタル放送信号の受信を開始する。ここで、チャンネルデータとは、映像データおよび音声データを含むデジタル放送信号を受信するために必要となる各チャンネルの周波数の情報と、各チャンネルの受信可能な番組（サブチャンネル）を認識するための情報とを含むデータである。
【０００５】
【特許文献１】特開平８−５６２０５号公報
【発明の開示】
【発明が解決しようとする課題】
【０００６】
しかしながら、上記特許文献１には、受信開始後に、受信するデータ（認識番号）を削減するための処理について記載されている一方、起動時に所定の記憶部からチャンネルデータおよびモニタ（表示部）などの設定値データを読み出す動作と、起動してからデジタル放送信号の受信を開始するまでの動作とについての詳細が記載されていない。このため、上記特許文献１に記載の表示装置では、従来の一般的な表示装置と同様、チャンネルデータおよび設定値情報などを、起動時に所定の記憶部から全て同時に読み出し、読み出したチャンネルデータに含まれる周波数の情報に基づいてデジタル放送信号の受信を開始するものと考えられる。したがって、上記特許文献１に記載の表示装置では、起動時に所定の番組の認識番号や映像データおよび音声データの認識番号などを受信する必要がない一方で、起動してからデジタル放送信号の受信を開始するまでの時間を短縮することができないという問題点がある。
【０００７】
この発明は、上記のような課題を解決するためになされたものであり、この発明の１つの目的は、起動してからテレビジョン信号の受信を開始するまでの時間を短縮することによって、表示部に映像を表示するまでの時間を短縮することが可能な表示装置を提供することである。
【課題を解決するための手段および発明の効果】
【０００８】
この発明の第１の局面による表示装置は、テレビジョン信号に基づく映像を表示する表示部と、テレビジョン信号を受信するための情報を含むチャンネルデータを記憶する記憶部とを備えた表示装置において、記憶部は、起動時に表示部に表示させる所定のチャンネルに対応するとともに、テレビジョン信号を受信するための情報を含む第１チャンネルデータを記憶する第１記憶部と、起動時に表示部に表示させないチャンネルに対応するとともに、テレビジョン信号を受信するための情報を含む第２チャンネルデータを記憶する第２記憶部と、第１チャンネルデータおよび第２チャンネルデータを一時的に記憶する第３記憶部とを含み、第１記憶部および第２記憶部からそれぞれ第１チャンネルデータおよび第２チャンネルデータを読み出すとともに、装置本体全体を制御する制御部と、起動時に、第３記憶部に一時的に記憶される第１チャンネルデータに基づいてチューニングを行うチューナ部とをさらに備えている。また、制御部は、起動時に、第１記憶部から第１チャンネルデータを読み出した後、第２記憶部から第２チャンネルデータを読み出すとともに、チューナ部が第１チャンネルデータに基づいてチューニングを行った後、第２記憶部から第２チャンネルデータを読み出すように構成されている。また、第１記憶部および第２記憶部は、１つのメモリにより構成され、第１記憶部の第１チャンネルデータは、表示部が最後に表示したチャンネルのチャンネルデータである。
【０００９】
この第１の局面による表示装置では、上記のように、起動時に表示部に表示させる所定のチャンネルに対応するとともに、テレビジョン信号を受信するための情報を含む第１チャンネルデータを記憶する第１記憶部と、起動時に表示部に表示させないチャンネルに対応するとともに、テレビジョン信号を受信するための情報を含む第２チャンネルデータを記憶する第２記憶部と、第１記憶部および第２記憶部からそれぞれ第１チャンネルデータおよび第２チャンネルデータを読み出すとともに、装置本体全体を制御する制御部とを設け、制御部を、起動時に、第１記憶部から第１チャンネルデータを読み出した後、第２記憶部から第２チャンネルデータを読み出すように構成することによって、制御部が、先に第１チャンネルデータのみを読み出すので、第１チャンネルデータに対応する所定のチャンネルのテレビジョン信号の受信を迅速に開始することが可能である。これにより、起動してからテレビジョン信号の受信を開始するまでの時間が短縮されるので、表示部に映像を表示するまでの時間を短縮することができる。
【００１０】
また、第１の局面による表示装置では、第１記憶部の第１チャンネルデータを、表示部が最後に表示したチャンネルのチャンネルデータとすることによって、制御部は、起動時に、表示部が最後に表示したチャンネルのチャンネルデータを読み出すので、起動時に、表示部が最後に表示したチャンネルの映像を表示部に表示することができる。また、制御部によって第１記憶部および第２記憶部から読み出されるそれぞれ第１チャンネルデータおよび第２チャンネルデータを一時的に記憶する第３記憶部と、起動時に、第３記憶部に一時的に記憶される第１チャンネルデータに基づいてチューニングを行うチューナ部とをさらに備え、制御部を、起動時に、チューナ部が第１チャンネルデータに基づいてチューニングを行った後、第２記憶部から第２チャンネルデータを読み出すように構成することによって、チューナ部は、制御部が第２記憶部から第２チャンネルデータを読み出す前に、第１チャンネルデータに基づいてチューニングを行うので、チューニングを行うまでの時間を短縮することができる。また、第１記憶部および第２記憶部を、１つのメモリにより構成することによって、第１チャンネルデータおよび第２チャンネルデータを別々に記憶する場合にも、２つのメモリを設ける必要がないので、メモリの数が増加するのを抑制することができる。
【００１１】
この発明の第２の局面による表示装置は、テレビジョン信号に基づく映像を表示する表示部と、起動時に表示部に表示させる所定のチャンネルに対応するとともに、テレビジョン信号を受信するための情報を含む第１チャンネルデータを記憶する第１記憶部と、起動時に表示部に表示させないチャンネルに対応するとともに、テレビジョン信号を受信するための情報を含む第２チャンネルデータを記憶する第２記憶部と、第１記憶部および第２記憶部からそれぞれ第１チャンネルデータおよび第２チャンネルデータを読み出すとともに、装置本体全体を制御する制御部とを備え、制御部は、起動時に、第１記憶部から第１チャンネルデータを読み出した後、第２記憶部から第２チャンネルデータを読み出すように構成されている。
【００１２】
この第２の局面による表示装置では、上記のように、起動時に表示部に表示させる所定のチャンネルに対応するとともに、テレビジョン信号を受信するための情報を含む第１チャンネルデータを記憶する第１記憶部と、起動時に表示部に表示させないチャンネルに対応するとともに、テレビジョン信号を受信するための情報を含む第２チャンネルデータを記憶する第２記憶部と、第１記憶部および第２記憶部からそれぞれ第１チャンネルデータおよび第２チャンネルデータを読み出すとともに、装置本体全体を制御する制御部とを設け、制御部を、起動時に、第１記憶部から第１チャンネルデータを読み出した後、第２記憶部から第２チャンネルデータを読み出すように構成することによって、制御部が、先に第１チャンネルデータのみを読み出すので、第１チャンネルデータに対応する所定のチャンネルのテレビジョン信号の受信を迅速に開始することが可能である。これにより、起動してからテレビジョン信号の受信を開始するまでの時間が短縮されるので、表示部に映像を表示するまでの時間を短縮することができる。
【００１３】
上記第２の局面による表示装置において、好ましくは、第１記憶部の第１チャンネルデータは、表示部が最後に表示したチャンネルのチャンネルデータである。このように構成すれば、制御部は、起動時に、表示部が最後に表示したチャンネルのチャンネルデータを読み出すので、起動時に、表示部が最後に表示したチャンネルの映像を表示部に表示することができる。
【００１４】
上記第２の局面による表示装置において、好ましくは、制御部によって第１記憶部および第２記憶部から読み出されるそれぞれ第１チャンネルデータおよび第２チャンネルデータを一時的に記憶する第３記憶部と、起動時に、第３記憶部に一時的に記憶される第１チャンネルデータに基づいてチューニングを行うチューナ部とをさらに備え、制御部は、起動時に、チューナ部が第１チャンネルデータに基づいてチューニングを行った後、第２記憶部から第２チャンネルデータを読み出すように構成されている。このように構成すれば、チューナ部は、制御部が第２記憶部から第２チャンネルデータを読み出す前に、第１チャンネルデータに基づいてチューニングを行うので、チューニングを行うまでの時間を短縮することができる。
【００１５】
上記第２の局面による表示装置において、好ましくは、第１記憶部および第２記憶部は、１つのメモリにより構成されている。このように構成すれば、第１チャンネルデータおよび第２チャンネルデータを別々に記憶する場合にも、２つのメモリを設ける必要がないので、メモリの数が増加するのを抑制することができる。
【発明を実施するための最良の形態】
【００１６】
以下、本発明を具体化した実施形態を図面に基づいて説明する。
【００１７】
図１は、本発明の一実施形態によるテレビジョン装置の構成を説明するためのブロック図である。まず、図１を参照して、本発明の一実施形態によるテレビジョン装置の構成について説明する。なお、本実施形態では、表示装置の一例であるテレビジョン装置に本発明を適用した場合について説明する。
【００１８】
本発明の一実施形態によるテレビジョン装置の装置本体１００は、図１に示すように、デジタルテレビジョン信号およびアナログテレビジョン信号をテレビアンテナ２０を介して受信することが可能なチューナ部１と、チューナ部１が受信するデジタルテレビジョン信号およびアナログテレビジョン信号に基づいて映像を表示する表示部２と、デジタルテレビジョン信号およびアナログテレビジョン信号に基づいて音声を出力するスピーカ３と、デジタルテレジョン信号に含まれる映像データを表示部２に表示可能なように変換するとともに、デジタルテレビジョン信号に含まれる音声データをスピーカ３に出力可能なように変換するデコーダ部４と、装置本体１００の全体を制御する制御部５とを備えている。
【００１９】
また、装置本体１００は、チューナ部１がデジタルテレビジョン信号またはアナログテレビジョン信号を受信するための情報を含むチャンネルチューニング用データを記憶する不揮発性のフラッシュメモリ６と、装置本体１００の起動中に、チャンネルチューニング用データを一時的に記憶する揮発性のＳＤＲＡＭ（Ｓｙｎｃｈｒｏｎｏｕｓ  ＤＲＡＭ）７とをさらに備えている。また、フラッシュメモリ６は、装置本体１００の起動時に表示部２に表示させる所定のチャンネルに対応する現在チャンネルチューニング用データを記憶する記憶領域６ａと、起動時に表示部２に表示させないチャンネルに対応する他チャンネルチューニング用データを記憶する記憶領域６ｂと、表示部２が表示する明るさや色彩およびスピーカ３が出力する音量などの情報を含む設定値データを記憶する記憶領域６ｃとを有している。なお、フラッシュメモリ６の記憶領域６ａおよび記憶領域６ｂは、それぞれ、本発明の「第１記憶部」および「第２記憶部」の一例であり、ＳＤＲＡＭ７は、本発明の「第３記憶部」の一例である。また、現在チャンネルチューニング用データは、本発明の「第１チャンネルデータ」の一例であり、他チャンネルチューニング用データは、本発明の「第２チャンネルデータ」の一例である。
【００２０】
また、現在チャンネルチューニング用データは、装置本体１００の動作が終了される際に、表示部２が最後に表示したチャンネルのチャンネルチューニング用データとなるように構成されている。また、現在チャンネルチューニング用データおよび他チャンネルチューニング用データには、それぞれ、所定のチャンネルに対応する周波数の情報と、各チャンネルが有するサブチャンネルの情報とが含まれている。
【００２１】
また、チューナ部１は、装置本体１００の起動時に、ＳＤＲＡＭ７に一時的に記憶されている現在チャンネルチューニング用データに基づいて、チューニングを行うように構成されている。また、デジタルテレビジョン信号を受信する場合には、チューナ部１は、チューニングを行った後、所定の周波数から得られる所定のチャンネルのトランスポートストリームに含まれるＰＡＴ（Ｐｒｏｇｒａｍ  Ａｓｓｏｃｉａｔｉｏｎ  Ｔａｂｌｅ）を受信するように構成されている。また、チューナ部１は、受信したＰＡＴから得られる所定のＰＭＴ（Ｐｒｏｇｒａｍ  Ｍａｐ  Ｔａｂｌｅ）のＰＩＤ（Ｐａｃｋｅｔ  ＩＤ）に基づいて、所定のＰＭＴを受信するように構成されている。さらに、チューナ部１は、受信したＰＭＴから得られる映像データおよび音声データのＰＩＤを受信し、デジタルテレビジョン信号に含まれる所定のサブチャンネルに対応する映像データおよび音声データを受信するように構成されている。なお、トランスポートストリームは、多重化信号形式の１つであり、映像データおよび音声データなどの個別のストリームを、共通の信号形式で扱って１つのストリームとして伝送することが可能である。また、ＰＡＴとは、所定のチャンネルに含まれる全てのサブチャンネルのＰＭＴのＰＩＤリストであり、ＰＭＴとは、所定のサブチャンネルの映像データおよび音声データなどのＰＩＤリストである。また、ＰＩＤとは、パケットとして分割されて送信される映像データおよび音声データにそれぞれ付されている各データを認識するための認識番号である。
【００２２】
ここで、本実施形態では、制御部５は、フラッシュメモリ６から現在チャンネルチューニング用データ、他チャンネルチューニング用データおよび設定値データを読み出して、それぞれＳＤＲＡＭ７に一時的に記憶させるように構成されている。これにより、起動中には、制御部５は、ＳＤＲＡＭ７から現在チャンネルチューニング用データ、他チャンネルチューニング用データおよび設定値データを読み出すことができるので、読み出し動作を迅速に行うことが可能である。また、制御部５は、装置本体１００の起動時に、フラッシュメモリ６から現在チャンネルチューニング用データを読み出した後、他チャンネルチューニング用データを読み出すように構成されている。具体的には、制御部５は、装置本体１００の起動時に、フラッシュメモリ６から現在チャンネルチューニング用データのみを先に読み出し、ＳＤＲＡＭ７に記憶する。この記憶された現在チャンネルチューニング用データに基づいてチューナ部１がチューニングを行った後、フラッシュメモリ６から他チャンネルチューニング用データを読み出すように構成されている。
【００２３】
また、デジタルテレビジョン信号を受信する場合については、制御部５は、チューナ部１が現在チャンネルチューニング用データに基づいてチューニングを行った後、ＰＡＴ受信、ＰＭＴ受信および映像データなどの受信動作と並行してフラッシュメモリ６から他チャンネルチューニング用データを読み出して、ＳＤＲＡＭ７に記憶させるように構成されている。これにより、ＰＡＴ受信、ＰＭＴ受信および映像データなどの受信動作と同時に他チャンネルチューニング用データを読み出す動作を行うことができるので、フラッシュメモリ６から他チャンネルチューニング用データを読み出すのにかかる時間を省略することが可能である。
【００２４】
また、アナログテレビジョン信号を受信する場合については、制御部５は、チューナ部１が現在チャンネルチューニング用データに基づいてチューニングを行った後、表示部２に映像を表示するように構成されている。その後、制御部５は、フラッシュメモリ６から他チャンネルチューニング用データを読み出して、ＳＤＲＡＭ７に記憶させるように構成されている。これにより、起動してから表示部２に映像を表示するまでの間に、フラッシュメモリ６から他チャンネルチューニング用データを読み出す動作を省略することが可能である。
【００２５】
図２は、図１に示した本発明の一実施形態によるテレビジョン装置が、起動時にデジタルテレビジョン信号を受信する場合の動作を説明するためのフローチャートである。次に、図２を参照して、本発明の一実施形態によるテレビジョン装置の起動時に、デジタルテレビジョン信号を受信する場合の動作について説明する。
【００２６】
まず、図２のステップＳ１において、装置本体１００が起動されたか否かが判断され、起動されていないと判断された場合には、この判断が繰り返される。そして、起動されたと判断された場合には、ステップＳ２において、フラッシュメモリ６から現在チャンネルチューニング用データおよび設定値データが読み出され、それぞれＳＤＲＡＭ７に記憶される。そして、ステップＳ３において、チューナ部１によって、ＳＤＲＡＭ７に記憶された現在チャンネルチューニング用データに基づいてチューニングが行われ、ステップＳ４において、ＰＡＴが受信される。次に、ステップＳ５において、受信されたＰＡＴに基づいてＰＭＴが受信され、ステップＳ６において、受信されたＰＭＴに基づいて映像データおよび音声データが受信される。ここで、ステップＳ４、ステップＳ５およびステップＳ６においては、上述の動作と並行してフラッシュメモリ６から他チャンネルチューニング用データが読み出されて、ＳＤＲＡＭ７に記憶される。ステップＳ７において、デコーダ部４によって、表示部２に表示することが可能なように映像データが変換されるとともに、スピーカ３に出力することが可能なように音声データが変換される。そして、ステップＳ８において、表示部２に映像が表示されるとともに、スピーカ３に音声が出力されて、動作が終了される。
【００２７】
図３は、図１に示した本発明の一実施形態によるテレビジョン装置が、起動時にアナログテレビジョン信号を受信する場合の動作を説明するためのフローチャートである。次に、図３を参照して、本発明の一実施形態によるテレビジョン装置の起動時に、アナログテレビジョン信号を受信する場合の動作について説明する。
【００２８】
まず、図３のステップＳ１１において、装置本体１００が起動されたか否かが判断され、起動されていないと判断された場合には、この判断が繰り返される。そして、起動されたと判断された場合には、ステップＳ１２において、フラッシュメモリ６から現在チャンネルチューニング用データおよび設定値データが読み出され、それぞれＳＤＲＡＭ７に記憶される。そして、ステップＳ１３において、チューナ部１によって、ＳＤＲＡＭ７に記憶された現在チャンネルチューニング用データに基づいてチューニングが行われる。次に、ステップＳ１４において、チューナ部１が受信したアナログテレビジョン信号に基づいて表示部２に映像が表示されるとともに、スピーカ３に音声が出力される。その後、ステップＳ１５において、フラッシュメモリ６から他チャンネルチューニング用データが読み出されて、ＳＤＲＡＭ７に記憶され、動作が終了される。
【００２９】
本実施形態では、上記のように、起動時に表示部２に表示させる所定のチャンネルに対応するとともに、デジタルテレビジョン信号またはアナログテレビジョン信号を受信するための情報を含む現在チャンネルチューニング用データを記憶する記憶領域６ａおよび、起動時に表示部に表示させないチャンネルに対応するとともに、デジタルテレビジョン信号またはアナログテレビジョン信号を受信するための情報を含む他チャンネルチューニング用データを記憶する記憶領域６ｂを有するフラッシュメモリ６と、フラッシュメモリ６から現在チャンネルチューニング用データおよび他チャンネルチューニング用データを読み出すとともに、装置本体１００の全体を制御する制御部５とを設け、制御部５を、起動時に、フラッシュメモリ６から現在チャンネルチューニング用データを読み出した後、他チャンネルチューニング用データを読み出すように構成することによって、制御部５が、先に現在チャンネルチューニング用データのみを読み出すので、現在チャンネルチューニング用データに対応する所定のチャンネルのデジタルテレビジョン信号またはアナログテレビジョン信号の受信を迅速に開始することが可能である。これにより、起動してからデジタルテレビジョン信号またはアナログテレビジョン信号の受信を開始するまでの時間が短縮されるので、表示部２に映像を表示するまでの時間を短縮することができる。
【００３０】
また、本実施形態では、フラッシュメモリ６の現在チャンネルチューニング用データを、表示部２が最後に表示したチャンネルのチャンネルチューニング用データとすることによって、制御部５は、起動時に、表示部２が最後に表示したチャンネルのチャンネルチューニング用データを読み出すので、起動時に、表示部２が最後に表示したチャンネルの映像を表示することができる。
【００３１】
また、本実施形態では、制御部５によってフラッシュメモリ６から読み出される現在チャンネルチューニング用データおよび他チャンネルチューニング用データを一時的に記憶するＳＤＲＡＭ７と、装置本体１００の起動時に、ＳＤＲＡＭ７に一時的に記憶される現在チャンネルチューニング用データに基づいてチューニングを行うチューナ部１とを設け、制御部５を、起動時に、チューナ部１が現在チャンネルチューニング用データに基づいてチューニングを行った後、フラッシュメモリ６から他チャンネルチューニング用データを読み出すように構成することによって、チューナ部１は、制御部５がフラッシュメモリ６から他チャンネルチューニング用データを読み出す前に、現在チャンネルチューニング用データに基づいてチューニングを行うので、チューニングを行うまでの時間を短縮することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、表示装置の一例としてテレビジョン装置を示したが、本発明はこれに限らず、テレビジョン信号を受信するための情報を含むチャンネルデータを記憶する記憶部を備えた表示装置であれば、テレビジョン装置以外の他の表示装置にも適用可能である。
【００３４】
また、上記実施形態では、現在チャンネルチューニング用データを、装置本体１００の動作が終了される際に、表示部２が最後に表示したチャンネルのチャンネルチューニング用データとする例を示したが、本発明はこれに限らず、たとえば、最もチャンネル番号が小さいチャンネルのチャンネルチューニング用データとしてもよい。
【００３５】
また、上記実施形態では、第１記憶部および第２記憶部の例として、フラッシュメモリ６を示したが、本発明はこれに限らず、不揮発性のメモリであれば、フラッシュメモリ以外の他のメモリを用いてもよい。
【００３６】
また、上記実施形態では、第３記憶部の例として、ＳＤＲＡＭ７を示したが、本発明はこれに限らず、揮発性のメモリであれば、ＳＤＲＡＭ以外の他のメモリを用いてもよい。
【００３７】
また、上記実施形態では、現在チャンネルチューニング用データおよび他チャンネルチューニング用データを、１つのフラッシュメモリ６に記憶する構成の例を示したが、本発明はこれに限らず、現在チャンネルチューニング用データおよび他チャンネルチューニング用データを、それぞれ別々のメモリに記憶する構成としてもよい。
【図面の簡単な説明】
【００３８】
【図１】本発明の一実施形態によるテレビジョン装置の構成を説明するためのブロック図である。
【図２】図１に示した本発明の一実施形態によるテレビジョン装置が、起動時にデジタルテレビジョン信号を受信する場合の動作を説明するためのフローチャートである。
【図３】図１に示した本発明の一実施形態によるテレビジョン装置が、起動時にアナログテレビジョン信号を受信する場合の動作を説明するためのフローチャートである。
【符号の説明】
【００３９】
１          チューナ部
２          表示部
５          制御部
６          フラッシュメモリ（第１記憶部および第２記憶部）
７          ＳＤＲＡＭ（第３記憶部）
１００      装置本体
【図１】
2008227634.tif 000003
【図２】
2008227634.tif 000004
【図３】
2008227634.tif 000005